(57)【特許請求の範囲】
【請求項１】
流し台内に生ごみ処理装置を組み込むと共に蛇腹状部を備えた弾性筒の下端部を流し台内に組み込んだ生ごみ処理装置に連結し、流し台上面の開口に下枠を設け、この下枠に弾性筒の上端部の係合部を係合し、係合部分に上枠を被嵌し、上端開口が生ごみ投入口となったインナーダクトを弾性筒内に挿入して上枠、下枠をインナーダクトにより覆うと共に、このインナーダクトの上端後部に斜め後上方に向けて傾斜する傾斜部を設けて成ることを特徴とする生ごみ処理装置の投入部の構造。
【請求項２】
弾性筒の内面部の上部にインナーダクトに密接するシール部を設けて成ることを特徴とする請求項１記載の生ごみ処理装置の投入部の構造。
【請求項３】
インナーダクトの上端を覆い且つ上面部がシンク側に下り傾斜する蓋を設けて成ることを特徴とする請求項１記載の生ごみ処理装置の投入部の構造。
【請求項４】
流し台のシンクに排水口を設け、この排水口に深さの深いアミ籠を嵌め込み、深さの深いアミ籠内の上部に深さの浅いアミ籠を上方に抜き取り自在に嵌め込み、深さの浅いアミ籠の上下長さを生ごみ投入口の短辺の長さよりも僅かに長くして成ることを特徴とする請求項１記載の生ごみ処理装置の投入部の構造。
【請求項５】
流し台のシンクに調理プレートを設置し、調理プレートの上面を生ごみ投入口の上端よりも高くして成ることを特徴とする請求項１記載の生ごみ処理装置の投入部の構造。
【請求項６】
蓋の開閉を検知する検知手段を設けて成ることを特徴とする請求項３記載の生ごみ処理装置の投入部の構造。
【請求項７】
流し台のシンクに内側に向けて膨出した膨出部を設け、この膨出部の上面に生ごみ投入口を設けて成ることを特徴とする請求項１記載の生ごみ処理装置の投入部の構造。
【請求項８】
生ごみ処理装置からの排気を室外に導くための排気経路を設け、流し台の前面部の幕板に取り付けた操作パネルに流し台の生ごみ処理装置を内装した部分に空気を導入するための吸気口を設けて成ることを特徴とする請求項１記載の生ごみ処理装置の投入部の構造。
【発明の詳細な説明】
【０００１】
【発明の属する技術分野】
本発明は、生ごみ処理装置の投入部の構造に関するものである。
【０００２】
【従来の技術】
近年、微生物の力を利用して有機物及び水分を有する生ごみを環境に影響を与えない程度に分解処理（発酵）することが行われており、この生ごみ処理を行うための生ごみ処理装置が知られている。この生ごみ処理装置は、生ごみ処理槽内にバイオチップと称される木質細片を生ごみ処理材として充填してあり、生ごみ処理槽に設けた投入口から生ごみを生ごみ処理槽内に投入し、生ごみ処理材に生息する微生物の働きで生ごみを発酵させて分解処理するようになっている。そして、この生ごみ処理装置を生ごみの発生箇所である流し台内に組み込んで使用するものが近年提案されている。
【０００３】
ところが、従来にあっては、流し台内に生ごみ処理装置を入れ、流し台の生ごみ投入口と生ごみ処理装置とを接続筒で接続するに当って、流し台の上面に設けた生ごみ投入口と流し台内に配置される生ごみ処理装置に設けた孔部との位置関係が正確になるように生ごみ処理装置を位置させねばならず、作業が面倒であり、また、流し台の生ごみ投入口と生ごみ処理装置とを接続筒で接続する作業自体も面倒であり、しかも、流し台の種類の違い、サイズの違い等により接続筒の長さが異なり、この点でも接続筒を複数種類用意するかあるいは現場で切断して長さを合わせる必要があって作業性が悪いと言う問題がある。しかも、接続に当って、気密的に固定してあるので、汚れた部分を外して簡単に掃除することができず、衛生的でなく、また、流し台の上面に単に生ごみ投入口を設けているだけなので、周囲を汚しやすく、投入性が悪いという問題がある。また、従来にあっては蓋を開けたまま一定時間経過してもそのままの状態にしていて気が付かない場合があり、衛生上の問題がある。
【０００４】
【発明が解決しようとする課題】
本発明は上記の従来例の問題点に鑑みて発明したものであって、本発明の目的とするところは、流し台の上面に設けた生ごみ投入口と流し台内に配置される生ごみ処理装置に設けた孔部とが上下方向に少しずれていたり、あるいは、生ごみ投入口と生ごみ処理装置に設けた孔部との間の上下方向の長さが異なっても簡単に対応して生ごみ投入口と生ごみ処理装置とを接続でき、また、インナーダクトを外して簡単に掃除することができ、また、インナーダクトが着脱自在であるにもかかわらず気密を保持しながら簡単に取り付けることができ、更に、生ゴミ投入口の上端後方を汚すことがないとともにスムーズに生ごみ投入口に生ごみを投入することができ、更にまた、蓋の開閉を検知することができる生ごみ処理装置の投入部の構造を提供することを課題とするものである。
【０００５】
【課題を解決するための手段】
上記課題を解決するために本発明に係る生ごみ処理装置の投入部の構造は、流し台３０内に生ごみ処理装置Ａを組み込むと共に蛇腹状部４０ａを備えた弾性筒４０の下端部を流し台３０内に組み込んだ生ごみ処理装置Ａに連結し、流し台３０上面の開口４１に下枠４２を設け、この下枠４２に弾性筒４０の上端部の係合部４３を係合し、係合部分に上枠４４を被嵌し、上端開口が生ごみ投入口３３となったインナーダクト４５を弾性筒４０内に挿入して上枠４４、下枠４２をインナーダクト４５により覆うと共に、このインナーダクト４５の上端後部に斜め後上方に向けて傾斜する傾斜部４６を設けて成ることを特徴とするものである。このような構成とすることで、流し台３０の上面に設けた生ごみ投入口３３と流し台３０内に配置される生ごみ処理装置Ａに設けた孔部３１とが上下方向に少しずれていたり、あるいは、生ごみ投入口３３と生ごみ処理装置Ａに設けた孔部３１との間の上下方向の長さが異なっても蛇腹状部４０ａを備えた弾性筒４０により上記ずれを吸収して簡単に接続することができるものであり、また、流し台３０上面の開口４１に下枠４２を設け、この下枠４２に弾性筒４０の上端部の係合部４３を係合し、係合部分に上枠４４を被嵌することで、蛇腹状部４０ａを備えた弾性筒４０の上端部の係合部４３を下枠４２に係合し、上枠４４を被嵌するという簡単な構成で弾性筒４０を流し台３０の上面部の開口４１部分に取り付けることができるものである。しかも弾性筒４０を下枠４２に取り付けるに当って、蛇腹状部４０ａを伸ばした状態で、開口４１の下から上に係合部４３を引き上げ、その後、蛇腹状部４０ａを縮めるように弾性筒４０を押し込みながら係合部４３を下枠４２に上から係合するという接続作業が可能で、接続作業が容易となるものであり、しかも、弾性筒４０内に挿入されると共に上枠４４、下枠４２を覆うインナーダクト４５を設け、このインナーダクト４５の上端後部に斜め後上方に向けて傾斜する傾斜部４６を設けてあるので、インナーダクト４５により上枠４４、下枠４２を覆って弾性筒４０の取り付け部分が汚れないようにできると共に、弾性筒４０内面が汚れないようにでき、また、インナーダクト４５を上方に引き抜くことで、インナーダクト４５を取り外して掃除ができるものである。また、生ごみを生ごみ投入口３３となるインナーダクト４５の上端開口から投入する際、生ごみが生ごみ投入口３３の後方にこぼれても、傾斜部４６で受けて、傾斜部４６を滑ってスムーズに生ごみ投入口３３に排出されるものである。
【０００７】
また、弾性筒４０の内面部の上部にインナーダクト４５に密接するシール部４７を設けることが好ましい。このような構成とすることで、インナーダクト４５を弾性筒４０に挿入することで、シール部４７により気密を確保できるとともに、インナーダクト４５ががたつかないようにできることになる。
【０００８】
また、インナーダクト４５の上端を覆い且つ上面部がシンク３７側に下り傾斜する蓋３２を設けることが好ましい。このような構成とすることで、蓋３２で閉塞することで、生ごみ処理装置Ａ内で発生した臭気が生ごみ投入口３３から台所内に逆流するのを防止できるものであり、また、蓋３２の上面部がシンク３７側に下り傾斜していることで、蓋３２に水などがかかっても傾斜を流れてシンク３７に流れ込むものである。
【０００９】
また、流し台３０のシンク３７に排水口４８を設け、この排水口４８に深さの深いアミ籠４９を嵌め込み、深さの深いアミ籠４９内の上部に深さの浅いアミ籠５０を上方に抜き取り自在に嵌め込み、深さの浅いアミ籠５０の上下長さを生ごみ投入口３３の短辺の長さよりも僅かに長くすることが好ましい。このような構成とすることで、深さの浅いアミ籠５０に生ごみを溜め、この深さの浅いアミ籠５０を生ごみ投入口３３のところに持っていって楽に生ごみ投入口３３に生ごみを投入できるものである。この際、深さの浅いアミ籠５０であるため、投入作業が簡単で、また、投入作業が簡単なように深さを浅くしているが、深さの浅いアミ籠５０の上下長さを生ごみ投入口３３の短辺の長さよりも僅かに長くしてあるので、生ごみ投入口３３から誤って深さの浅いアミ籠５０を落下させるおそれがないものである。
【００１０】
また、流し台３０のシンク３７に調理プレート５１を設置し、調理プレート５１の上面を生ごみ投入口３３の上端よりも高くすることが好ましい。調理プレート５１上で調理した際に発生した生ごみを調理プレート５１の上面から直接生ごみ投入口３３に排出することができるものである。
【００１１】
また、蓋３２の開閉を検知する検知手段５２を設けることが好ましい。このような構成とすることで、蓋３２の開閉を検知することで、例えば、蓋３２が開いて一定時間以上経過すると、蓋３２が開きっぱなし状態となっていることを警報手段等で知らせることができるものである。
【００１２】
また、流し台３０のシンク３７に内側に向けて膨出した膨出部５３を設け、この膨出部５３の上面に生ごみ投入口３３を設けることが好ましい。このような構成とすることで、シンク３７で発生した生ごみを効果的に生ごみ投入口３３に投入できるものである。
【００１３】
また、生ごみ処理装置Ａからの排気を室外に導くための排気経路１８を設け、流し台３０の前面部の幕板に取り付けた操作パネル５５に流し台３０の生ごみ処理装置Ａを内装した部分に空気を導入するための吸気口５６を設けることが好ましい。しかして、流し台３０の前面には通常扉９２が開閉自在に取り付けてあるが、扉９２を閉じた場合パッキンで気密を保持するようになっている。このため、流し台３０内に配置した生ごみ処理装置Ａに空気を外部から供給しにくくなるが、上記のように、幕板に取り付けた操作パネル５５に流し台３０の生ごみ処理装置Ａを内装した部分に空気を導入するための吸気口５６を設けることで、生ごみ処理装置Ａに空気を供給することができ、また、生ごみ処理装置Ａで発生した排気を排気経路１８を経て外部に確実に排気できるものである。
【００１４】
【発明の実施の形態】
以下、本発明を添付図面に示す実施形態に基づいて説明する。
【００１５】
生ごみ処理装置Ａは図３乃至図７に示すようなものである。すなわち図３に示すように、ハウジング８の上面部の前半分は上方突出部９となっており、また、後半分は下方に段落した段落ち上面部９ａとなっている。ハウジング８内には生ごみ処理槽１と調整槽２とを設けてあり、生ごみ処理槽１と調整槽２内には攪拌羽根６を有する回転軸７を架設してあり、モータ１０によりチェーン１１のような伝達手段を介して回転軸７が回転するようになっている。生ごみ処理槽１内には微生物が生息したバイオチップと称されるおが屑状の木質細片のような担体よりなる生ごみ処理材が充填してある。生ごみ処理槽１の前部には仕切り１２を介して調整槽２が配置してあり、仕切り１２にはオーバフロー用のスリットのような開口１３が設けてある。調整槽２の前面部の左右方向の一側部には残さ排出口３が設けてある。
【００１６】
ハウジング８には通気入口（図示せず）が設けてあって外部から内部に空気を供給できるようにしてある。また、ハウジング８の前面部の上部には生ごみ処理槽１や調整槽２内の臭気を含んだ排気を排出するための排気出口（図示せず）が設けてあり、排気経路１８の上流側の端部がこの排気出口に接続してある。この排気経路１８の途中には図３に示すように、排気を加熱して脱臭する白金触媒による脱臭のような脱臭器（図示せず）、排気ファン２０が設けてあり、ハウジング８の前面の片側半分にカバー９３を着脱自在に被せて排気ファン２０や脱臭器を覆っている。また、ハウジング８の前面の他の片側半分の下方（つまり残さ排出口の前下方）には制御パネル（図示せず）が配設され、別のカバー９４により制御パネルを覆っている。排気経路１８のファン２０よりも下流側はハウジング８の前面上部からハウジング８の上面部の前部の上方突出部９を前後方向に貫通し、上方突出部９の後面部の左右方向の中央部から段落ち上面部９ａの上方位置に導出してあり、この段落ち上面部９ａ以降の排気経路１８はフレキシブル管２１により構成してある。上記のようにハウジング８の前部の上部を上方に突出させて上方突出部９とすることで、この上方突出部９内を利用して図３のように排気経路１８を構成する配管を前後方向に貫挿することができるものである。
【００１７】
また、調整槽２の前方には残さ取り出し容器４が取り出し自在に配置され、取り付け状態では残さ取り出し容器４の後面上部に設けた残さ入口５を調整槽２の残さ排出口３に嵌め込んで接続されるものである。
【００１８】
上記のような構成の生ごみ処理装置Ａは図１、図２に示すように、流し台３０内に配置して組み込まれるものである。そして、ハウジング８の段落ち上面部９ａに設けた孔部３１と流し台３０の上面の生ごみ投入口３とを蛇腹状部４０ａを備えたゴム筒のような弾性筒４０により接続してある。
【００１９】
以下、ハウジング８の段落ち上面部９ａに設けた孔部３１と流し台３０の上面の生ごみ投入口３３とを蛇腹状部４０ａを備えたゴム筒のような弾性筒４０により接続する構成につき詳細に説明する。
【００２０】
弾性筒４０は図９に示すようなもので、上下方向の一部又は全部が蛇腹状部４０ａとなっており（図９においては下部が蛇腹状部４０ａとなっている）、また、弾性筒４０の下部は下方に行くほど径が大きくなっている。弾性筒４０の上端部の外周部には上鍔部６０が設けてあり、この上鍔部６０の下面部に全周にわたって溝を形成して係合部４３を構成してある。この係合部４３は折り返しにより形成してもよい。弾性筒４０の内面部の上部に内周の全長にわたって後述のインナーダクト４５に密接する１乃至複数条のシール部４７を突設してある。また、弾性筒４０の下端部には下鍔部６１が形成してあり、この下鍔部６１の下面には全周にわたって弾性を有するシール部６２が形成してあり、また、下鍔部６１にはねじ具挿入孔６３が形成してある。そして、上記の構成の弾性筒４０は流し台３０に生ごみ処理装置Ａを内装する前に図５乃至図７に示すように生ごみ処理装置Ａに取り付けておくものである。この場合、あらかじめ工場で弾性筒４０を生ごみ処理装置Ａに取り付けておいてもよく、あるいは現場で弾性筒４０を生ごみ処理装置Ａに取り付けておいてもよい。ここで、取り付けに当っては、下鍔部６１をハウジング８の段落ち上面部９ａに設けた孔部３１の周囲の上面側に載置し、ねじ具挿入孔６３からねじ具を挿入して生ごみ処理装置Ａに固定するものである。
【００２１】
一方、流し台３０上面には開口４１が設けてあり、この開口４１に下枠４２を取り付ける。下枠４２は図１０に示すように環状をしていて下面部に下方に向けて係止部５７が設けてあり、また環状をした下枠４２の上面部の内周側には上方に向けて係合突片部５８が突設してある。また、この下枠４２にはリードスイッチ取付け部５９が設けてあり、このリードスイッチ取付け部５９にリードスイッチ５９ａが取り付けられるものである。上記の構成の下枠４２の下面部を流し台３０の上面に形成した開口４１の上面周囲に載置すると共に係止部５７を開口４１の縁部下面側に係止することで下枠４２を開口４１の上面側の周囲に取り付ける。
【００２２】
しかして、流し台３０のキャビネット内に弾性筒４０を取り付けた生ごみ処理装置Ａを図１９のようにして入れ、弾性筒４０の上端部を流し台３０の上面の開口４１に取り付けた環状をした下枠４２内を図２０のようにして下から上に引き上げる。この場合、弾性筒４０が弾性を有していて変形自在であると共に蛇腹状部４０ａを設けてあるのでこの部分で上下方向に伸ばすことで、弾性筒４０の上端部を流し台３０の上面の開口４１に取り付けた環状をした下枠４２内を下から上に簡単に引き上げることができるものである。
【００２３】
次に、下枠４２の上方に引き上げた弾性筒４０の上端部を下方に押し込むようにして弾性体４０の係合部４３を下枠４２の係合突片部５８に嵌め込んで係合する（図２１の状態）。次に、図１１に示すような環状をした断面略逆Ｕ字状をした上枠４４を被せて上鍔部６０及び下枠４２を覆うことで、上記係合部４３と係合突片部５８との係合部分を覆うものである。ここで、更に上枠４４を取り付けた状態で図２２に示すように、上枠４４からねじ具を挿入して上枠４４、上鍔部６０、下枠４２を流し台３０の上面に固着するようにしてもよいものである。
【００２４】
次に、弾性筒４０内にインナーダクト４５を上方から出し入れ自在に挿入する。インナーダクト４５は図１２、図１３に示すようなもので、筒状体の上端部の後縁部に斜め上方を向くように傾斜した傾斜部４６が連出してあり、更に、インナーダクト４５は筒状体の上端部の前縁部及び両側縁部に連続して断面略逆Ｕ字状をした覆い部６４が設けてある。インナーダクト４５の筒状体を上方から弾性筒４０内に挿入した状態で上枠４４、下枠４２、弾性筒４０の上端の係合部分が、覆い部６４と傾斜部４６とで覆われ、また、インナーダクト４５の筒状体の外面に弾性筒４０の内面に設けたシール部４７が弾接して密接することで、シール部４７により気密を確保できるとともに、インナーダクト４５ががたつかないようにしている。ここで、本実施形態においてはインナーダクト４５の上端開口が生ごみ投入口３３となるものである。
【００２５】
このように上端開口が生ごみ投入口３３となったインナーダクト４５を取り付けた状態で図８に示すように、生ごみ投入口３３を覆う蓋３２を取り外し自在に取り付けるものである。蓋３２は図１４、図１５に示すように上面部がシンク３７側に下り傾斜する傾斜面部６５となり、傾斜面部６５の前縁部及び両側縁部に下方に向けてカバー用垂下部６６を垂設し、傾斜面部６５の後端から斜め後上方に向けて傾斜した後傾斜片部６７を連出してあり、また、傾斜上面部６５の両側縁部から上方に向けて側片部６８を突設してあり、側片部６８の後端部が後傾斜片部６７の両端部に連続している。両側片部６８の上端間には把手部７４が架設してある。更に、また、傾斜面部６５の下面部にはインナーダクト４５の上端開口の生ごみ投入口３３よりも少し径の小さい嵌め込み筒部６９が垂設してある。この嵌め込み筒部６９にはシール材７０が取り付けられる。シール材７０は平板部７１の外周部の全長にわたって上方に突出した嵌め込み部７２が設けてあり、更に、嵌め込み部７２の外周面部に全長にわたって弾性を有するシール突部７３が設けてある。そして、図８に示すように、平板部７１を嵌め込み筒部６９の下面に当てると共に嵌め込み部７２を嵌め込み筒部６９の外周下端部に嵌め込み、この状態で平板部７１を嵌め込み筒部６９にねじ具などの固着手段により固着するものである。また、蓋３２には磁石７５が取り付けてある。
【００２６】
そして、蓋３２の嵌め込み筒部６９をインナーダクト４５の上端開口の生ごみ投入口３３に嵌め込むと共に、インナーダクト４５の上端部をカバー用垂下部６６で覆い且つインナーダクト４５の傾斜部４６を後傾斜片部６７で覆うものである。この場合、シール突部７３がインナーダクト４５の内面に弾接して気密を保ち且つ蓋３２を被せた状態を保持するものである。
【００２７】
上記のように蓋３２を正確に取り付けた状態で蓋３２に設けた磁石７５がインナーダクト４５に取り付けたリードスイッチ５９ａに対向するようになっている。したがって、上記磁石７５とリードスイッチ５９ａとにより蓋３２の開閉を検知する検知手段５２が構成してある。この検知手段５２により蓋３２を開いて一定時間以上（例えば数十分）経過すると、蓋３２が開きっぱなしの状態となっていることを任意の警報手段等で知らせようになっている。また、蓋３２を正確に取り付けてない場合にも任意の警報手段等で蓋３２が正確に取り付けてないことを知らせることができるものである。また、蓋３２が開かれた場合、これを検知手段５２により検知してファン２０の回転数を上げるように制御して生ごみ処理装置Ａ側からの臭気が生ごみ投入口３３から室内に逆流しないようにすることもできるものである。
【００２８】
添付図面に示す実施形態においては流し台３０の上面に設ける開口４１はシンク３７の一部を内方に膨出して形成した膨出部５３の上面に形成してあり、膨出部５３の隣りの凹み部７６の底が排水口４８となっている。
【００２９】
図１７に示すように排水口４８には深さの深いアミ籠４９が上方から着脱自在に嵌め込んであり、更に、この深さの深いアミ籠４９内の上部に図１８に示すような深さの浅いアミ籠５０が上方に抜き取り自在に嵌め込んである。更に、排水口４８の上端には孔やスリットを有する排水プレート７８が着脱自在に取り付けられ、この排水プレート７８と深さの深いアミ籠４９の鍔部とで深さの浅いアミ籠５０の鍔部が挟持されるものである。深さの浅いアミ籠５０の上下長さは生ごみ投入口３３の短辺の長さよりも僅かに長くしてある。このような構成とすることで、シンク３７内の生ごみは排水プレート７８を経て深さの浅いアミ籠５０内に溜まる。したがって、排水プレート７８を外し、深さの浅いアミ籠５０を取り外して、深さの浅いアミ籠５０を生ごみ投入口３３のところに持っていって楽に生ごみ投入口３３に生ごみを投入できるようにしてある。この場合、深さの浅いアミ籠５０であるため、投入作業が簡単で、また、投入作業が簡単なように深さを浅くしているが、深さの浅いアミ籠５０の上下長さが生ごみ投入口３３の短辺の長さよりも僅かに長いので、生ごみ投入口３３から誤って深さの浅いアミ籠５０を落下させるおそれがないものである。ここで、ほとんどの生ごみは深さの浅いアミ籠５０で捕捉されるが、粒径の小さいものの一部が深さの深いアミ籠４９に捕捉される。このように深さの深いアミ籠４９には少ししか溜まらないので、深さの深いアミ籠４９に溜まった生ごみを生ごみ投入口３３から投棄するのは深さの浅いアミ籠５０に溜まった生ごみのように頻繁に投棄する必要がないので、作業性が優れたものとなる。
【００３０】
シンク３７の上縁部には段部７９が設けてあり、段部７９に調理プレート５１が載置自在となっている。この調理プレート５１は生ごみ投入口３３のすぐ前方のシンク３７上方に配設できるようにしてあり、この場合、調理プレート５１の上面を生ごみ投入口３３の上端よりも高くなっており、調理プレート５１上で調理した際に発生した生ごみを調理プレート５１の上面から直接生ごみ投入口３３に排出することができるようにしてある。
【００３１】
なお、すでに述べたように、流し台３０のシンク３７に内側に向けて膨出した膨出部５３の上面に生ごみ投入口３３を設けることで、シンク３７で発生した生ごみを前方側からだけでなく、側方側からも生ごみ投入口３３に投入できて、効果的に生ごみ投入口３３に投入できるものである。
【００３２】
流し台３０の前面部の幕板の前面には図１に示すような操作パネル５５が取り付けてある。この操作パネル５５には生ごみ処理装置Ａの操作を行うための操作部８０が設けてあり、更に、操作パネル５５には吸気孔５６が設けてある。そして、図示を省略しているが、流し台３０の幕板には操作パネル５５と生ごみ処理装置Ａとを接続する電気配線を通すための孔が形成してあり、この孔と上記吸気孔５６とが連通していて、流し台３０の外から流し台３０の生ごみ処理装置Ａを内装したキャビネット内部に上記吸気孔５６を介して空気を供給し、生ごみ処理装置Ａに設けた通気入口から生ごみ処理槽１内に空気が供給されるようにしてある。これにより、流し台３０の前面には扉９２が開閉自在に取り付け、扉を閉じた際にパッキンで気密を保持するようにしたものにおいて、流し台３０内に設置した生ごみ処理装置Ａにスムーズに吸気できるものである。
【００３３】
生ごみ処理装置Ａに設けた排気経路１８の後部を構成するフレキシブル管２１壁３５や床に形成した孔３６に接続して屋外に排気するものである。流し台３０内の後部にトラップ３８、排水管３９が設けてあり、このため、フレキシブル管２１はトラップ３８や排水管３９を避けて、トラップ３８や排水管３９の後方又は前方を通って孔３６に導いて挿通するものである。孔３６内にはフレキシブル管２１を挿通してもよいが、孔３６内に別の配管を挿通し、この配管にフレキシブル管２１を接続してもよい。そして建物の壁３５の外において、排気経路１８の最終端に屋外フード９９を取り付けるものである。
【００３４】
また、流し台３０の前面開口に設けた扉９２を開くことで、残さ取り出し容器４を出し入れしたり、ハウジング８の前面側に配置した脱臭器やファン２０等の保守、点検ができるようになっている。
【００３５】
しかして、蓋３２を開き、流し台３０に設けた生ごみ投入口３３から生ごみを投入すると、インナーダクト４５を経て生ごみ処理槽１内に生ごみが入り、攪拌羽根６を有する回転軸７を回転することで、生ごみ処理槽１内に充填している生ごみ処理材と生ごみとが攪拌混合され、生ごみ処理材に生息している微生物の働きにより生ごみが発酵して分解処理される。この際、生ごみ処理槽１内において臭気が発生するので、ファン２０を運転することで、臭気を含んだ排気が脱臭器に送られ、脱臭器で脱臭され、排気経路の周端部のフレキシブル管２１を経て屋外フード４０部分から屋外に排出されるものである。
【００３６】
上記のようにして生ごみ処理槽１内に生ごみを投入して生ごみを処理するのであるが、生ごみ処理槽１内には残さが溜まってきて生ごみ処理槽１内の生ごみ処理材の上端レベルが高くなる。この高くなる分はオーバフロー用のスリットのような開口１３からオーバーフローして調整槽２内に溜められる。調整槽２内に溜められた残さは残さ排出口３から残さ取り出し容器４内の残さ入口５を経て残さ取り出し容器４内に排出される。
【００３７】
ところで、生ごみ投入口３３から生ごみを投入する際、インナーダクト４５により上枠４４、下枠４２を覆っているので、弾性筒４０の取り付け部分が汚れないと共に、弾性筒４０内面が汚れないものである。したがって、掃除に当ってはインナーダクト４５のみを上方に引き抜くことで、簡単に掃除ができることになる。また、生ごみを生ごみ投入口３３となるインナーダクト４５の上開口から生ごみを投入する際、生ごみが生ごみ投入口３３の後方にこぼれても、傾斜部４６で受けて、傾斜部４６を滑ってスムーズに生ごみ投入口３３に落すことができるものであり、このため、流し台３０の上面の生ごみ投入口３３の後方部分が汚れないものである。
【００３８】
流し台３０で作業する時は蓋３２を開けたままの状態で作業することがあるが、この点を考慮して前述のように、蓋３２が開いた状態を検知手段５２で検知して一定時間が経過するまでは台所作業中とみなして警報手段で警報しないが、一定時間経過すると、蓋３２を閉じ忘れて蓋３２が開きっぱなし状態となっているとみなして警報手段等で蓋３２が開いていることを知らせるようになっている。したがって、蓋３２の閉め忘れを防止することができる。また、蓋３２を閉めた場合、正確に閉めた場合には例えば「ピッ」という警報音が鳴るようになっており、したがって、「ピッ」という警報音が鳴ることで蓋３２を正確に閉めたかどうかを知ることができるものである。
【００３９】
【発明の効果】
上記の請求項１記載の本発明にあっては、流し台内に生ごみ処理装置を組み込み、流し台上面の生ごみ投入口と生ごみ処理装置とを蛇腹状部を備えた弾性筒により連結してあるので、流し台の上面に設けた生ごみ投入口と流し台内に配置される生ごみ処理装置に設けた孔部とが上下方向に少しずれていたり、あるいは、生ごみ投入口と生ごみ処理装置に設けた孔部との間の上下方向の長さが異なっても蛇腹状部を備えた弾性筒により上記ずれを吸収して簡単に接続することができ、この結果、流し台の上面に設けた生ごみ投入口と流し台内に配置される生ごみ処理装置との接続が容易に行えるものであり、また、流し台上面の開口に下枠を設け、この下枠に弾性筒の上端部の係合部を係合し、係合部分に上枠を被嵌するので、蛇腹状部を備えた弾性筒の上端部の係合部を下枠に係合し、上枠を被嵌するという簡単な構成で弾性筒を流し台の上面部の開口部分に取り付けることができ、また、弾性筒を取り付けた生ごみ処理装置を流し台内に入れ、蛇腹状部を伸ばした状態で、開口の下から上に係合部を引き上げ、その後、蛇腹状部を縮めるように弾性筒を押し込みながら係合部を下枠に上から係合するという接続作業が可能で、接続作業が容易となるものであり、しかも、弾性筒内に挿入されると共に上枠、下枠を覆うインナーダクトを設け、このインナーダクトの上端後部に斜め後上方に向けて傾斜する傾斜部を設けてあるので、インナーダクトにより上枠、下枠を覆って弾性筒の取り付け部分が汚れないようにできると共に、弾性筒内面が汚れないようにでき、また、インナーダクトを上方に引き抜くことで、インナーダクトを取り外して簡単に掃除ができて衛生的であり、また、生ごみを生ごみ投入口となるインナーダクトの上端開口から投入する際、生ごみが生ごみ投入口の後方にこぼれても、傾斜部で受けて、傾斜部を滑ってスムーズに生ごみ投入口に排出されるものであって、流し台の上面の生ごみ投入口の後方側の部分が汚れないようにできるものである。
【００４２】
また、請求項２記載の発明にあっては、上記請求項１記載の発明の効果に加えて、弾性筒の内面部の上部にインナーダクトに密接するシール部を設けてあるので、インナーダクトを弾性筒に挿入することで、シール部により気密を確保できるとともに、インナーダクトががたつかないようにできるものである。
【００４３】
また、請求項３記載の発明にあっては、上記請求項１記載の発明の効果に加えて、インナーダクトの上端を覆い且つ上面部がシンク側に下り傾斜する蓋を設けてあるので、蓋をすることで、生ごみ処理装置内で発生した臭気が生ごみ投入口から台所内に逆流するのを防止できて室内環境をよくすることができるのみならず、蓋の上面部がシンク側に下り傾斜していることで、蓋に水などがかかっても傾斜を流れてシンクに流れ込むので衛生的である。
【００４４】
また、請求項４記載の発明にあっては、上記請求項１記載の発明の効果に加えて、流し台のシンクに排水口を設け、この排水口に深さの深いアミ籠を嵌め込み、深さの深いアミ籠内の上部に深さの浅いアミ籠を上方に抜き取り自在に嵌め込み、深さの浅いアミ籠の上下長さを生ごみ投入口の短辺の長さよりも僅かに長くしてあるので、深さの浅いアミ籠に生ごみを溜め、この深さの浅いアミ籠を生ごみ投入口のところに持っていって楽に生ごみ投入口に生ごみを投入できるものであり、生ごみ投入の作業性が向上するものであり、また、深さの浅いアミ籠であるため、深さの深いアミ籠に比べて投入作業が簡単であり、また、投入作業が簡単なように深さを浅くしたにもかかわらず、深さの浅いアミ籠の上下長さが生ごみ投入口の短辺の長さよりも僅かに長いので、生ごみ投入口から誤って深さの浅いアミ籠を落下させて生ごみ処理装置のトラブルの発生を防止できるものである。
【００４５】
また、請求項５記載の発明にあっては、上記請求項１記載の発明の効果に加えて、流し台のシンクに調理プレートを設置し、調理プレートの上面を生ごみ投入口の上端よりも高くしてあるので、調理プレート上で調理した際に発生した生ごみを調理プレートの上面から直接生ごみ投入口に排出することができて、生ごみ投入の作業性が良くなるものである。
【００４６】
また、請求項６記載の発明にあっては、上記請求項３記載の発明の効果に加えて、蓋の開閉を検知する検知手段を設けてあるので、蓋の開閉を検知することで、例えば、蓋が開いて一定時間以上経過すると、蓋が開きっぱなし状態となっていることを警報手段等で知らせたり、蓋が正確に閉じてあるか否かを報知したりできるものである。
【００４７】
また、請求項７記載の発明にあっては、上記請求項１記載の発明の効果に加えて、流し台のシンクに内側に向けて膨出した膨出部を設け、この膨出部の上面に生ごみ投入口を設けてあるので、シンクで発生した生ごみを効果的に生ごみ投入口に投入できるものである。
【００４８】
また、請求項８記載の発明にあっては、上記請求項１記載の発明の効果に加えて、生ごみ処理装置からの排気を室外に導くための排気経路を設け、流し台の前面部の幕板に取り付けた操作パネルに流し台の生ごみ処理装置を内装した部分に空気を導入するための吸気口を設けてあるので、流し台内に配置した生ごみ処理装置に空気を確実に供給し、生ごみ処理装置で発生した排気を確実に外部に排気できるものである。
【図面の簡単な説明】
【図１】本発明の生ごみ処置装置を流し台キャビネットに組み込んだ状態を示す斜視図である。
【図２】同上の概略断面図である。
【図３】同上の生ごみ処理装置の概略断面図である。
【図４】同上の概略背面図である。
【図５】同上の弾性筒を生ごみ処理装置に取り付けた状態の側面図である。
【図６】同上の弾性筒を生ごみ処理装置に取り付けた状態の正面図である。
【図７】同上の弾性筒を生ごみ処理装置に取り付けた状態の平面図である。
【図８】同上の生ごみ投入口部部分の断面図である。
【図９】（ａ）は同上に用いる弾性筒の正面断面図であり、（ｂ）は側面断面図である。
【図１０】（ａ）は同上に用いる下枠の平面図であり、（ｂ）は正面図であり、（ｃ）は下面図であり、（ｄ）は側面図である。
【図１１】（ａ）は同上に用いる上枠の平面図であり、（ｂ）は下面図であり、（ｃ）は正面断面図であり、（ｄ）は側面断面図である。
【図１２】（ａ）は同上に用いるインナーダクトの平面図であり、（ｂ）は正面図である。
【図１３】（ａ）は同上に用いるインナーダクトの側面図であり、（ｂ）は下面図であり、（ｃ）は要部断面図である。
【図１４】同上に用いる蓋の斜視図である。
【図１５】（ａ）は同上に用いる蓋の平面図であり、（ｂ）は正面断面図であり、（ｃ）は側面断面図である。
【図１６】同上の調理プレートを取り付けた場合の断面図である。
【図１７】同上の排水口部分の断面図である。
【図１８】同上に用いる深さの浅いアミ籠の平面図である。
【図１９】同上の弾性筒を取り付けた状態の生ごみ処理装置を流し台の内部に組み込んでいる状態を示す説明図である。
【図２０】同上の弾性筒の上部を下枠を介して流し台の上面よりも上方に引き上げている状態を示す説明図である。
【図２１】同上に弾性筒の上端部の係合部を下枠に係合している状態の説明図である。
【図２２】同上の上枠を取り付けている状態の説明図である。
【符号の説明】
Ａ  生ごみ処理装置
１８  排気経路
３０  流し台
３２  蓋
３３  生ごみ投入口
３７  シンク
４０  弾性筒
４０ａ  蛇腹状部
４１  開口
４２  下枠
４３  係合部
４４  上枠
４５  インナーダクト
４６  傾斜部
４７  シール部
４８  排水口
４９  深さの深いアミ籠
５０  深さの浅いアミ籠
５１  調理プレート
５２  検知手段
５３  膨出部
５５  操作パネル
５６  吸気口
【図１】
0003659010.tif 000002
【図２】
0003659010.tif 000003
【図３】
0003659010.tif 000004
【図４】
0003659010.tif 000005
【図５】
0003659010.tif 000006
【図６】
0003659010.tif 000007
【図７】
0003659010.tif 000008
【図８】
0003659010.tif 000009
【図９】
0003659010.tif 000010
【図１０】
0003659010.tif 000011
【図１１】
0003659010.tif 000012
【図１２】
0003659010.tif 000013
【図１３】
0003659010.tif 000014
【図１４】
0003659010.tif 000015
【図１５】
0003659010.tif 000016
【図１６】
0003659010.tif 000017
【図１７】
0003659010.tif 000018
【図１８】
0003659010.tif 000019
【図１９】
0003659010.tif 000020
【図２０】
0003659010.tif 000021
【図２１】
0003659010.tif 000022
【図２２】
0003659010.tif 000023